【手続補正書】
【提出日】平成24年8月10日(2012.8.10)
【手続補正１】
【補正対象書類名】特許請求の範囲
【補正対象項目名】全文
【補正方法】変更
【補正の内容】
【特許請求の範囲】
【請求項１】
基板ユニットに部品を搭載する搭載装置により前記基板ユニットに搭載される複数の部品を管理する部品管理装置であって、
前記基板ユニットに搭載される部品を特定する識別子と、前記部品が取り付けられた治具を特定する識別子とを対応付けて記憶する治具記憶部と、
前記基板ユニットを特定する識別子と、前記基板ユニットに搭載される部品を特定する識別子とを対応付けて記憶する部品記憶部と、
前記搭載装置により部品を搭載する基板ユニットを、第１の基板ユニットから、前記第１の基板ユニットに搭載される部品とは異なる部品を含む第２の基板ユニットに変更するにあたり、前記部品記憶部を参照して、前記第１の基板ユニットに搭載される複数の部品のうち前記第２の基板ユニットに搭載される複数の部品に含まれない部品を特定する特定部と、
前記特定部によって特定された部品が取り付けられた治具を前記治具記憶部から特定し、特定した当該治具が有する発光素子を発光させる発光部と
を有することを特徴とする部品管理装置。
【請求項２】
前記特定部は、
前記第１の基板ユニットに搭載される複数の部品の各々を示す識別子と、前記第２の基板ユニットに搭載される複数の部品の各々を示す識別子とを前記部品記憶部から特定する第一特定部と、
前記第一特定部によって特定された識別子に基づいて、前記第１の基板ユニットに搭載される複数の部品のうち前記第２の基板ユニットに搭載される複数の部品に含まれない部品を特定する第二特定部とを有し、
前記発光部は、
前記第二特定部によって特定された部品が取り付けられた治具を前記治具記憶部から特定し、特定した当該治具が有する発光素子を発光させる第一発光部を有する
ことを特徴とする請求項１に記載の部品管理装置。
【請求項３】
前記特定部は、
前記第一特定部によって特定された前記第２の基板ユニットに搭載される複数の部品の各々の識別子と、前記第１の基板ユニットに搭載される複数の部品の各々の識別子とを比較し、前記第２の基板ユニットに搭載される複数の部品のうち前記第１の基板ユニットに搭載される複数の部品に含まれない部品を特定する第三特定部をさらに有し、
前記発光部は、
前記第一発光部によって発光素子が発光させられた治具が前記搭載装置から取り外された場合に、前記第三特定部によって特定された部品が取り付けられた治具を前記治具記憶部から特定し、特定した当該治具が有する発光素子を発光させる第二発光部をさらに有する
ことを特徴とする請求項２に記載の部品管理装置。
【請求項４】
前記部品と前記搭載装置に当該部品を搭載する搭載位置とを一意に対応付けた固定配列で前記部品を運用する基板ユニットを特定する識別子と、前記搭載位置の順番とを対応付けて記憶する運用記憶部をさらに有し、
前記第二発光部は、前記第２の基板ユニットの識別子が前記運用記憶部に記憶される場合に、当該搭載位置に搭載される部品が取り付けられた治具を前記治具記憶部から特定し、特定した当該治具が有する発光素子を前記運用記憶部に記憶される搭載位置の順番で発光させる
ことを特徴とする請求項３に記載の部品管理装置。
【請求項５】
前記特定部は、
前記基板ユニットの生産が終了した場合に、前記治具から取り外されて解体される部品を特定する第四特定部をさらに有し、
前記第二発光部は、前記第四特定部によって特定された部品が取り付けられた治具を前記治具記憶部から特定し、特定した当該治具が有する発光素子を発光させることを特徴とする請求項３または４に記載の部品管理装置。
【請求項６】
前記部品記憶部は、前記部品を保管する待機場から出材されてからの経過時間をさらに対応付けて記憶し、
前記第二発光部は、前記第三特定部によって特定された部品のうち、前記部品記憶部に記憶される経過時間が所定値未満の部品が取り付けられた治具を前記治具記憶部から特定し、特定した当該治具が有する発光素子を発光させることを特徴とする請求項３〜５のいずれか一つに記載の部品管理装置。
【請求項７】
前記治具記憶部は、前記治具に取り付けられたＲＦタグを特定する識別子とをさらに対応付けて記憶し、
前記第一発光部は、前記第二特定部によって特定された部品が取り付けられた治具に取り付けられたＲＦタグを前記治具記憶部から特定し、特定した前記ＲＦタグが有する発光素子を発光させ、
前記第二発光部は、前記第三特定部によって特定された部品が取り付けられた治具に取り付けられたＲＦタグを前記治具記憶部から特定し、特定した前記ＲＦタグが有する発光素子を発光させることを特徴とする請求項３〜６のいずれか一つに記載の部品管理装置。
【請求項８】
基板ユニットに部品を搭載する搭載装置により前記基板ユニットに搭載される複数の部品を管理する部品管理装置が、
前記搭載装置により部品を搭載する基板ユニットを、第１の基板ユニットから、前記第１の基板ユニットに搭載される部品とは異なる部品を含む第２の基板ユニットに変更するにあたり、前記基板ユニットを特定する識別子と、当該基板ユニットに搭載される部品を特定する識別子とを対応付けて記憶する部品記憶部を参照して、前記第１の基板ユニットに搭載される複数の部品のうち前記第２の基板ユニットに搭載される複数の部品に含まれない部品を特定するステップと、
特定した部品が取り付けられた治具を前記基板ユニットに搭載される部品を特定する識別子と前記部品が取り付けられた治具を特定する識別子とを対応付けて記憶する治具記憶部から特定し、特定した当該治具が有する発光素子を発光させるステップと
を含んだことを特徴とする段替え支援方法。
【請求項９】
基板ユニットに部品を搭載する搭載装置により部品を搭載する基板ユニットを、第１の基板ユニットから、前記第１の基板ユニットに搭載される部品とは異なる部品を含む第２の基板ユニットに変更するにあたり、前記基板ユニットを特定する識別子と、当該基板ユニットに搭載される部品を特定する識別子とを対応付けて記憶する部品記憶部を参照して、前記第１の基板ユニットに搭載される複数の部品のうち前記第２の基板ユニットに搭載される複数の部品に含まれない部品を特定し、
特定した部品が取り付けられた治具を前記基板ユニットに搭載される部品を特定する識別子と前記部品が取り付けられた治具を特定する識別子とを対応付けて記憶する治具記憶部から特定し、特定した当該治具が有する発光素子を発光させる
処理をコンピュータに実行させることを特徴とする段替え支援プログラム。
【請求項１０】
基板ユニットに部品を搭載する搭載装置により前記基板ユニットに搭載される複数の部品を管理する部品管理装置であって、
前記基板ユニットを特定する識別子と、前記基板ユニットに搭載される部品を特定する識別子とを対応付けて記憶する部品記憶部と、
前記搭載装置により前記基板ユニットに部品を搭載するにあたり、前記部品記憶部に記憶した基板ユニットを特定する識別子と、当該基板ユニットに搭載される部品を特定する識別子とに基づいて、前記基板ユニットに搭載する複数の部品を特定する特定部と、
前記特定部により特定された複数の部品のうち、吸湿を管理して扱う吸湿管理部品を保管する吸湿保管場所から前記吸湿管理部品が取り出された時間である庫外時間を計測し、計測した庫外時間が当該部品について予め設定された吸湿管理時間を超過したか否かを判定した結果を示す信号を出力する吸湿管理部と
を有することを特徴とする部品管理装置。
【請求項１１】
前記吸湿管理部が出力した信号が、前記特定部が特定した部品の庫外時間が当該部品について予め設定された吸湿管理時間を超過していないことを示す場合に、当該特定した部品の保管場所の発光素子を発光させる発光部
をさらに備えることを特徴とする請求項１０に記載の部品管理装置。
【請求項１２】
前記発光部は、
前記吸湿管理部が出力した信号が、前記特定部が特定した部品の庫外時間が当該部品について予め設定された吸湿管理時間を超過したことを示す場合に、当該特定した部品の保管場所の発光素子を予め定められた態様で発光させることを特徴とする請求項１１に記載の部品管理装置。
【請求項１３】
基板ユニットに部品を搭載する搭載装置により前記基板ユニットに搭載される複数の部品を管理する部品管理装置であって、
前記基板ユニットに搭載される部品を特定する識別子と前記部品が取り付けられた治具を特定する識別子とを対応付けた治具特定情報と、前記基板ユニットを特定する識別子と前記基板ユニットに搭載される部品を特定する識別子とを対応付けた部品特定情報とを含む情報を記憶する記憶部と、
前記記憶部に記憶された情報に基づいて、前記基板ユニットに搭載される部品の管理を行う処理部とを備え、
前記処理部は、
前記搭載装置により前記基板ユニットに部品を搭載するにあたり、前記基板ユニットに搭載される前記複数の部品の各々を示す識別子を前記記憶部に記憶された部品特定情報に基づいて特定し、
特定した部品が取り付けられた治具を前記記憶部に記憶された治具特定情報に基づいて特定し、
特定した治具が有する発光素子を発光させる制御を行なう
ことを特徴とする部品管理装置。
【請求項１４】
前記記憶部は、さらに、前記基板ユニットに搭載される前記複数の部品のうち、吸湿を管理して扱う吸湿管理部品について予め設定された吸湿管理時間の情報を記憶し、
前記処理部は、さらに、
前記特定された部品のうち、前記吸湿管理部品を保管する吸湿保管場所から前記吸湿管理部品が取り出された時間である庫外時間を計測し、
計測した庫外時間が当該部品について予め設定された吸湿管理時間を超過していない場合に、当該部品が取り付けられた治具が有する発光素子を発光させる制御を行なう
ことを特徴とする請求項１３に記載の部品管理装置。
【請求項１５】
基板ユニットに搭載する部品が取り付けられた治具を保管する待機場と、
前記基板ユニットに部品を搭載する搭載装置により前記基板ユニットに搭載される複数の部品を管理し、前記待機場に保管された治具と通信回線を介して接続される部品管理装置とを有し、
前記部品管理装置は、
前記基板ユニットに搭載される部品を特定する識別子と、前記部品が取り付けられた治具を特定する識別子とを対応付けて記憶する治具記憶部と、
前記基板ユニットを特定する識別子と、前記基板ユニットに搭載される部品を特定する識別子とを対応付けて記憶する部品記憶部と、
前記搭載装置により前記基板ユニットに部品を搭載するにあたり、前記基板ユニットに搭載される部品を示す識別子を前記部品記憶部から特定する特定部と、
前記特定部によって特定された部品が取り付けられた治具を前記治具記憶部から特定し、前記通信回線を介して、前記待機場に保管された治具のうち特定した治具が有する発光素子を発光させる発光部とを有する
ことを特徴とする部品管理システム。
【請求項１６】
前記部品管理装置は、さらに
前記特定部により特定された部品のうち、吸湿を管理して扱う吸湿管理部品を保管する吸湿保管場所から前記吸湿管理部品が取り出された時間である庫外時間を計測し、計測した庫外時間が当該部品について予め設定された吸湿管理時間を超過したか否かを判定した結果を示す信号を出力する吸湿管理部を有し、
前記発光部は、前記吸湿管理部が出力した信号が、前記吸湿管理部品の庫外時間が当該部品について予め設定された吸湿管理時間を超過していないことを示す場合に、当該特定した部品が取り付けられた治具が有する発光素子を発光させる
ことを特徴とする請求項１５に記載の部品管理システム。
【請求項１７】
基板ユニットに部品を搭載する搭載装置により前記基板ユニットに搭載される複数の部品を管理する部品管理装置が、前記搭載装置により前記基板ユニットに部品を搭載するにあたり、前記基板ユニットを特定する識別子と、当該基板ユニットに搭載される部品を特定する識別子とを対応付けて記憶する部品記憶部に記憶した情報から、前記基板ユニットに搭載される部品を特定するステップと、
前記部品管理装置が、前記基板ユニットに搭載される部品を特定する識別子と前記部品が取り付けられた治具を特定する識別子とを対応付けて記憶する治具記憶部から、前記特定された部品が取り付けられた治具を特定し、特定した当該治具が有する発光素子を発光させるステップと
を含むことを特徴とする基板ユニットの製造方法。
【手続補正２】
【補正対象書類名】明細書
【補正対象項目名】発明の名称
【補正方法】変更
【補正の内容】
【発明の名称】部品管理装置、段替え支援方法、段替え支援プログラム、部品管理システム及び基板ユニットの製造方法